(57)【要約】【課題】作業者以外の第三者が鉄塔に昇ることを防止できるようにすると共に作業者による作業時に支障とならないようにする。【解決手段】第三者が鉄塔１に昇ることを防止するスライド棒材５Ａは、鉄塔１に固定されたＶ字プレート８にスライド自在にガイド部材９Ａにより取り付けられる。ガイド部材９Ａの複数の切欠部９ｂは、係合されるスライド棒材５Ａを略水平状態に保つと共に該スライド棒材５Ａを略鉛直状態に保つ。また、スライド棒材５Ｂも同様に構成される。この構成によって、スライド棒材５Ａ，５Ｂを展開できると共に該スライド棒材５Ａ，５Ｂを折り畳むことができる。これにより、作業者が鉄塔１に昇って作業する場合には、スライド棒材５Ａ，５Ｂを簡単に折り畳むことができるので、該スライド棒材５Ａ，５Ｂが作業に支障をきたさない。【選択図】図２
2010180557.tif 000002
【特許請求の範囲】
【請求項１】
作業者以外の第三者が鉄塔に昇ることを防止する装置であって、
複数の延棒を有して、前記第三者が鉄塔に昇ることを防止するスライド棒材と、
前記鉄塔の所定の位置に固定されるプレートと、
前記プレートに前記スライド棒材をスライド自在に取り付けるガイド部材とを備え、
前記ガイド部材は、
前記複数の延棒のいずれか又は全てが係合され、前記延棒を略水平状態に保つと共に該延棒を略鉛直状態に保つ複数の切欠部を有することを特徴とする昇塔防止装置。
【請求項２】
前記切欠部は、
前記延棒を略水平状態に保つ半溝と、
前記延棒を略鉛直状態に保つ最下溝と、
前記延棒を前記半溝と前記最下溝に移動させるスライド溝とを有することを特徴とする請求項１に記載の昇塔防止装置。
【請求項３】
前記プレートは第１の面及び第２の面を有したＶ字状に形成され、
前記スライド棒材は、第１のスライド棒材と第２のスライド棒材とから構成され、
前記ガイド部材は、第１のガイド部材と第２のガイド部材とから構成され、
前記第１のスライド棒材は、前記プレートの第１の面にスライド自在に前記第１のガイド部材により取り付けられ、
前記第２のスライド棒材は、前記プレートの第２の面にスライド自在に前記第２のガイド部材により取り付けられることを特徴とする請求項２に記載の昇塔防止装置。
【請求項４】
前記第１のスライド棒材の前方の延棒には、第１の連結部材を介して開閉自在に第１の窓部材が取り付けられ、
前記第２のスライド棒材の前方の延棒には、第２の連結部材を介して開閉自在に第２の窓部材が取り付けられ、
前記第１の窓部材と前記第２の窓部は、前記延棒の略水平状態において連結して閉じることを特徴とする請求項３に記載の昇塔防止装置。
【請求項５】
前記Ｖ字状のプレートの内側には、複数の延棒を有した棒部材が設置されることを特徴とする請求項４に記載の昇塔防止装置。
【発明の詳細な説明】
【技術分野】
【０００１】
本発明は、鉄塔に作業者以外の第三者が昇ることを防止する昇塔防止装置に関するものである。
【背景技術】
【０００２】
従来、高圧送電路用などの鉄塔の下部には、事故防止のために第三者が昇ることを防止する水平展開状の昇塔防止装置が設置されている場合が多い。例えば、この昇塔防止装置には、主にタワーフェンスや昇塔防止器がある。タワーフェンスは、鉄塔主柱材の４脚にサポート部材を設け、これらのサポート部材を利用しながらワイヤーを鉄塔周りに張った装置である。このタワーフェンスに関連した特許文献１には、鉄塔の外周に阻止パネルを配置し、この阻止パネルの枠体内に綱体を張設した装置が開示されている。
【０００３】
また、昇塔防止器は、鉄塔主柱材の４脚の周りに棒状の突起部を放射状に設置した装置である。この棒状の昇塔防止器に関連した特許文献２には、円弧状の棚枠部材の上に固定された、放射方向に延出する複数の通り抜け防止用の棒材を備えた昇塔防止装置が開示されている。
【先行技術文献】
【特許文献】
【０００４】
【特許文献１】実開平４−６６２７０号公報
【特許文献２】実開平６−５９５５６号公報
【発明の概要】
【発明が解決しようとする課題】
【０００５】
ところで、上述したタワーフェンスの場合、鉄塔の下部を広い範囲で覆っているために昇塔防止の効果は高い。しかしながら、ワイヤーをサポート部材に施設する必要があるため、装置の設置にあたり作業時間を多く必要とする問題がある。また、タワーフェンスを設置した状態ではワイヤーが作業の支障となるだけではなく、倒木や飛来物などの接触によりワイヤーが断線する可能性がある。
【０００６】
一方、上述した特許文献２に記載の放射状の昇塔防止装置は、鉄塔主柱材の周りのみを覆っているために昇塔防止の効果が低い。この昇塔防止装置は、覆う範囲が狭いのでタワーフェンスに比べて作業への影響は少ないが、鉄塔に工具や材料の上げ下げに使用する通い綱などに支障をきたすおそれがある。
【０００７】
そこで、本発明は、このような従来例の課題を解決するものであって、昇塔防止の効果を十分に得ることができるようにすると共に、作業時に支障とならないようにした昇塔防止装置を提供することを目的とする。
【課題を解決するための手段】
【０００８】
上述した課題を解決するために、本発明に係る昇塔防止装置は、作業者以外の第三者が鉄塔に昇ることを防止する装置であって、複数の延棒を有して、前記第三者が鉄塔に昇ることを防止するスライド棒材と、前記鉄塔の所定の位置に固定されるプレートと、前記プレートに前記スライド棒材をスライド自在に取り付けるガイド部材とを備え、前記ガイド部材は、前記複数の延棒のいずれか又は全てが係合され、前記延棒を略水平状態に保つと共に該延棒を略鉛直状態に保つ複数の切欠部を有するものである。
【０００９】
本発明に係る昇塔防止装置によれば、スライド棒材は、第三者が鉄塔に昇ることを防止する複数の延棒を有している。このスライド棒材は、鉄塔に固定されたプレートにスライド自在にガイド部材により取り付けられる。このガイド部材の複数の切欠部は、係合される延棒を略水平状態に保つと共に該延棒を略鉛直状態に保つ。例えば、これらの切欠部は、延棒を略水平状態に保つ半溝と、延棒を略鉛直状態に保つ最下溝と、延棒を半溝と最下溝に移動させるスライド溝とを有する。
【発明の効果】
【００１０】
このように、本発明に係る昇塔防止装置によれば、第三者が鉄塔に昇ることを防止するスライド棒材は、鉄塔に固定されたプレートにスライド自在にガイド部材により取り付けられ、このガイド部材の複数の切欠部は、係合されるスライド棒材を略水平状態に保つと共に該スライド棒材を略鉛直状態に保つ。
【００１１】
この構成によって、スライド棒材を展開できると共に該スライド棒材を折り畳むことができる。これにより、作業者が鉄塔に昇って作業する場合には、スライド棒材を簡単に折り畳むことができので、該スライド棒材が作業に支障をきたさない。従って、作業効率を向上できる。
【図面の簡単な説明】
【００１２】
【図１】本発明に係る昇塔防止装置１００を鉄塔１に設置する位置を示す概略図である。
【図２】昇塔防止装置１００の構成例を示す斜視図である。
【図３】昇塔防止装置１００の構成例を示す上面図である。
【図４】図２に示す１点鎖線の枠内を拡大した図であり、ガイド部材９Ｂの構成例を示す。
【図５】折り畳んだ状態における昇塔防止装置１００の構成例を示す斜視図である。
【図６】図５に示す１点鎖線の枠内を拡大した図であり、折り畳んだ状態におけるガイド部材９Ｂの動作例を示す。
【図７】窓部材６Ａ，６Ｂのみを折り畳んだ状態を示す図である。
【図８】スペーサー２２Ａ，２２Ｂを用いた昇塔防止装置１００の設置例を示す斜視図である。
【発明を実施するための形態】
【００１３】
続いて、図面を参照しながら本発明の実施の形態の一例について説明する。図１は、本発明に係る昇塔防止装置１００を鉄塔１に設置する位置を示す概略図である。図１に示す昇塔防止装置１００は、第三者が鉄塔に昇ることを防止するスライド棒材を水平方向に展開できるようにすると共に該スライド棒材を鉛直方向に折り畳めるようにすることで、作業効率を向上させるものである。
【００１４】
図１に示す鉄塔１は、主柱材２、斜材３及び腕金材４を備えている。主柱材２は４隅に設けられて、地表から上方に延びる鉄柱である。斜材３は、隣接する主柱材２，２の間に斜めに掛け渡されて結合され、鉄塔１を補強している。これにより、鉄塔１は、略四角錐の形状を保つことができる。腕金材４は、碍子を介在させて送電線を吊り下げる。
【００１５】
昇塔防止装置１００は、４隅の主柱材２の各々に対して地表から２．５ｍ以上の高さに設置する。また、図１に示すように昇塔防止装置１００は、鉄塔１の斜材３と主柱材２の結合位置（例えば図１のＰ地点）の近傍に設置する。これは、作業者以外の第三者が鉄塔１に昇る場合、通常、斜材３を経由して昇るためである。例えば、斜材３ａと主柱材２の結合位置の近傍に昇塔防止装置１００を設置しておけば、第三者が斜材３ａを伝って鉄塔１に昇った場合に、昇塔防止装置１００により昇塔が防止されて、第三者は次の斜材３ｂに到達できない。これにより、第三者は、鉄塔１に昇ることができず感電などの事故を未然に防止できるようになる。
【００１６】
図２は昇塔防止装置１００の構成例を示す斜視図であり、図３は昇塔防止装置１００の構成例を示す上面図である。図２及び図３に示す昇塔防止装置１００は、スライド棒材５Ａ，５Ｂ、窓部材６Ａ，６Ｂ、棒部材７、Ｖ字プレート８及び半筒形状のガイド部材９Ａを備え、スライド棒材５Ａ，５Ｂを展開した状態である。
【００１７】
鉄塔１の主柱材２には、Ｖ字状に形成されたＶ字プレート８が取り付けられている。例えば、このＶ字プレート８は主柱材２の角に位置合わせされ、外側のＬ字状の結合部材１０と内側のＬ字状の結合部材１１により挟み込まれて、４個のボルト１０ａにより主柱材２に固定される。
【００１８】
スライド棒材５Ａは、このＶ字プレート８の第１の面８ａにスライド自在にガイド部材９Ａにより取り付けられる。スライド棒材５Ａは櫛歯状に形成され、１本の本体棒５ａと複数の延棒５ｂから構成されている。この例で、本体棒５ａは１．５ｍ〜２ｍの長さを有する。７本の延棒５ｂは８００ｍｍ〜１０００ｍｍの長さを有し、本体棒５ａに対して垂直に同一方向に等間隔で結合されている。延棒５ｂの各々は、鉄柱状又はパイプ状に形成される。延棒５ｂを鉄柱状に形成すれば経年劣化に強く、延棒５ｂをパイプ状に形成すれば軽量化できる。
【００１９】
スライド棒材５Ａは、延棒５ｂがガイド部材９Ａの切欠部９ｂに挿入されて、該ガイド部材９ＡによりＶ字プレート８にスライド自在に取り付けられている。例えば、スライド棒材５Ａは、５本の延棒５ｂがガイド部材９Ａの５箇所の切欠部９ｂに挿入されている。ガイド部材９Ａの切欠部９ｂは、数字の「７」形状に形成され、スライド棒材５Ａの延棒５ｂの姿勢を略水平状態及び略鉛直状態に維持する。スライド棒材５Ａの延棒５ｂは、作業者以外の第三者が鉄塔１を昇ることを防止する。
【００２０】
スライド棒材５Ａの前方の延棒５ｂには、ヒンジ６ａ，６ａを介して開閉自在に窓部材６Ａが取り付けられている。この窓部材６Ａは他方側の窓部材６Ｂに連結される。窓部材６Ａ，６Ｂは、スライド棒材５Ａ，５Ｂの延棒５ｂで覆いきれない領域、すなわち鉄塔１の主柱材２における角部分を覆う。
【００２１】
スライド棒材５Ｂは、スライド棒材５Ａと同様の構成を有し、Ｖ字プレート８の第２の面８ｂにスライド自在にガイド部材９Ｂにより取り付けられている。スライド棒材５Ｂの前方の延棒５ｂには、ヒンジ６ａ，６ａを介して開閉自在に窓部材６Ｂが取り付けられている。この窓部材６Ｂは他方側の窓部材６Ａに連結される。
【００２２】
主柱材２の内側には、棒部材７が設置されている。この棒部材７は、延棒７ａ、プレート７ｂ及び本体板７ｃを備えている。８本の延棒７ａは、８００ｍｍ〜１０００ｍｍの長さを有し、本体板７ｃに対して垂直に同一方向に等間隔で結合されている。本体板７ｃはプレート７ｂにボルトにより固定されている。プレート７ｂは、Ｖ字プレート８にボルト９ａにより固定されている。
【００２３】
このように構成することで、昇塔防止装置１００は、スライド棒材５Ａ，５Ｂ、窓部材６Ａ，６Ｂ及び棒部材７が、図３に示すように主柱材２の外周を３６０°覆う。同様にして、他の３本の主柱材２にもスライド棒材５Ａ，５Ｂ、窓部材６Ａ，６Ｂ及び棒部材７が設置される。
【００２４】
図４は、図２に示す１点鎖線の枠内を拡大した図であり、ガイド部材９Ｂの構成例を示す。図４に示すガイド部材９Ｂは、半筒形状の中空部９ｃを備えている。この中空部９ｃには、本体棒５ａが挿通されている。中空部９ｃは、数字の「７」形状に形成されて、延棒５ｂが係合される切欠部９ｂを有している。この切欠部９ｂは延棒５ｂを略水平状態に保つと共に該延棒５ｂを略鉛直状態に保ち、半溝９ｄ、最下溝９ｅ及びスライド溝９ｆから構成されている。半溝９ｄは、中空部９ｃが略半分の位置まで掘り下げられ、延棒５ｂを略水平状態に保つ。最下溝９ｅは、中空部９ｃが略最下部の位置まで掘り下げられ、延棒５ｂを略鉛直状態に保つ。スライド溝９ｆは、半溝９ｄと最下溝９ｅを結合するように形成され、延棒５ｂを半溝９ｄ及び最下溝９ｅに移動させる。
【００２５】
これにより、図４に示す水平状態の延棒５ｂを持ち上げてスライド溝９ｆに沿って最下溝９ｅまでスライド移動させることで、延棒５ｂを折り畳むことができるようになる。また、その反対に、最下溝９ｅに移動して折り畳んだ状態の延棒５ｂを持ち上げてスライド溝９ｆに沿って半溝９ｄまでスライド移動させることで、延棒５ｂを展開することができるようになる。
【００２６】
スライド棒材５Ａ，５Ｂの展開状態において、図４に示すように溝形状の半溝９ｄに延棒５ｂが嵌め込まれているので、スライド棒材５Ａ，５Ｂの位置を固定できる。しかも、スライド棒材５Ａの窓部材６Ａとスライド棒材５Ｂの窓部材６Ｂが連結されているので、更に強固にスライド棒材５Ａ，５Ｂの位置を固定でき、強風が生じた場合であってもスライド棒材５Ａ，５Ｂのガタツキを抑えることができる。
【００２７】
続いて、昇塔防止装置１００を折り畳んだ状態について説明する。図５は昇塔防止装置１００の構成例を示す斜視図であり、スライド棒材５Ａ，５Ｂを折り畳んだ状態である。図６は、図５に示す１点鎖線の枠内を拡大した図であり、折り畳んだ状態における延棒５ｂの動作例を示す。図５に示す折り畳み状態は、作業者が鉄塔１で作業をする場合に昇塔防止装置１００が作業の支障をきたさないようにする状態である。図２に示した展開状態から図５に示す折り畳み状態に移行するためには、先ず、窓部材６Ａと窓部材６Ｂの締付部６ｂを結合したボルト６ｃを緩めて窓部材６Ａと窓部材６Ｂを開く。これにより、スライド棒材５Ａとスライド棒材５Ｂがスライド自在になる。
【００２８】
次に、水平状態のスライド棒材５Ａの延棒５ｂを持ち上げて半溝９ｄからスライド溝９ｆ（図６参照）に沿って最下溝９ｅまでスライド移動させて、該最下溝９ｅに沿って延棒５ｂを鉛直方向に回動させる。これにより、スライド棒材５Ａの延棒５ｂを折り畳むことができる。この場合、鉄塔１は略四角錐の形状であるために、スライド棒材５Ａの延棒５ｂ及び窓部材６Ａが該四角錐の斜面に載り掛かった状態となる。すなわち、図５に示す折り畳んだ状態であっても、スライド棒材５Ａの延棒５ｂ及び窓部材６Ａが地面に対して垂直の姿勢にはならない。これにより、窓部材６Ａは、図５に示すように延棒５ｂに当接した姿勢を維持する。従って、窓部材６Ａが作業中に支障をきたす心配がない。
【００２９】
スライド棒材５Ａと同様にして、水平状態のスライド棒材５Ｂの延棒５ｂを持ち上げてスライド溝９ｆ（図６参照）に沿って最下溝９ｅまでスライド移動させて、該最下溝９ｅに沿って延棒５ｂを鉛直方向に回動させる。これにより、スライド棒材５Ｂの延棒５ｂを折り畳むことができる。この場合、鉄塔１は略四角錐の形状であるために、スライド棒材５Ｂの延棒５ｂ及び窓部材６Ｂも該四角錐の斜面に載り掛かった状態となる。これにより、窓部材６Ｂは、図５に示すように延棒５ｂに当接した姿勢を維持する。従って、窓部材６Ｂが作業中に支障をきたす心配がない。
【００３０】
また、作業が終了して昇塔防止装置１００を昇塔防止のために展開状態にする場合には、上述した工程を逆から行えばよい。すなわち、図５に示す折り畳み状態から図２に示した展開状態に移行するためには、先ず、折り畳み状態のスライド棒材５Ａの延棒５ｂを持ち上げて最下溝９ｅからスライド溝９ｆ（図４参照）に沿って半溝９ｄまでスライド移動させて、該半溝９ｄに延棒５ｂを落とし込む。これにより、スライド棒材５Ａの延棒５ｂを水平状態に展開できる。
【００３１】
次に、スライド棒材５Ａと同様にして、折り畳み状態のスライド棒材５Ｂの延棒５ｂを持ち上げて最下溝９ｅからスライド溝９ｆ（図４参照）に沿って半溝９ｄまでスライド移動させて、該半溝９ｄに延棒５ｂを落とし込む。これにより、スライド棒材５Ｂの延棒５ｂを水平状態に展開できる。そして、窓部材６Ａの締付部６ｂと窓部材６Ｂの締付部６ｂをボルト６ｃにより締め付ける。これにより、昇塔防止装置１００は、図２に示した展開状態となる。
【００３２】
このように、本発明に係る昇塔防止装置１００によれば、第三者が鉄塔１に昇ることを防止するスライド棒材５Ａは、鉄塔１に固定されたＶ字プレート８にスライド自在にガイド部材９Ａにより取り付けられる。ガイド部材９Ａの複数の切欠部９ｂは、係合されるスライド棒材５Ａを略水平状態に保つと共に該スライド棒材５Ａを略鉛直状態に保つ。また、スライド棒材５Ｂも同様に構成される。
【００３３】
この構成によって、スライド棒材５Ａ，５Ｂを展開できると共に該スライド棒材５Ａ，５Ｂを折り畳むことができる。これにより、作業者が鉄塔１に昇って作業する場合には、スライド棒材５Ａ，５Ｂを簡単に折り畳むことができので、該スライド棒材５Ａ，５Ｂが作業に支障をきたさない。従って、作業効率を向上できる。
【００３４】
また、スライド棒材５Ａ，５Ｂの全長を拡張することで昇塔防止範囲を拡大することも可能であり、従来の昇塔防止器に比べて昇塔防止効果を向上できる。これにより、鉄塔１の外周を全て覆うタワーフェンスと略同等の昇塔防止効果を得ることも可能である。昇塔防止装置１００の設置方法は、従来の昇塔防止器と同様であるので、タワーフェンスに比べて設置の手間がかからない。また、昇塔防止装置１００は、作業時や悪天候時に破損する部材がないため、タワーフェンスと比べてメンテナンスが容易である。
【００３５】
なお、鉄塔１で作業を行わずに昇降塔のみであれば、窓部材６Ａと窓部材６Ｂの締付部６ｂを結合したボルト６ｃを緩めて窓部材６Ａと窓部材６Ｂを開くのみでよい。すなわち、図７に示すように、スライド棒材５Ａとスライド棒材５Ｂは展開状態を維持し、窓部材６Ａ，６Ｂを開く。これにより、作業者が鉄塔１を昇る経路を十分に確保できると共に、スライド棒材５Ａ，５Ｂを折り畳む労力を不要とできるので作業効率を向上できる。
【００３６】
また、棒部材７は固定式としたが、スライド棒材５Ａやガイド部材９Ａなどを用いることで、展開および折り畳むようにすることも可能である。
【００３７】
続いて、斜材２１が外付けの鉄塔１Ａに昇塔防止装置１００を設置する例について説明する。図８Ａは、昇塔防止装置１００の設置例を示す斜視図である。図８Ａには、斜材２１を迂回して主柱材２０にＶ字プレート８を固定するために２個のスペーサー２２Ａ，２２Ａを備えている。スペーサー２２Ａは、図８Ｂに示すように「コ」の字形状を成し、４箇所に貫通孔２２ａを備えている。
【００３８】
外側のＬ字状の結合部材１０と内側のＬ字状の結合部材１１により主柱材２０を挟み込むと共に、スペーサー２２Ａ，２２Ａをボルト１０ａ，１０ａにより外側の結合部材１０に固定する。外側の結合部材１０に固定されたスペーサー２２Ａ，２２Ａに対してＶ字プレート８をボルト１０ａ，１０ａにより固定する。これにより、斜材２１，２１を迂回して主柱材２０にＶ字プレート８を固定することができるので、スライド棒材５Ａ，５Ｂ、を該Ｖ字プレート８に取り付けることができる。
【００３９】
このＶ字プレート８にスペーサー２２Ｂ，２２Ｂをボルト９ａ，９ａにより固定する。Ｖ字プレート８に固定されたスペーサー２２Ｂ，２２Ｂにプレート７ｂをボルト９ａ，９ａにより固定する。これにより、斜材２１，２１を迂回してＶ字プレート８にプレート７ｂを固定することができるので、棒部材７をプレート７ｂに取り付けることができる。このように、鉄塔１Ａの斜材２１が外付けの場合であっても、スペーサー２２Ａ，２２Ｂを用いることで、斜材２１を迂回して昇塔防止装置１００を鉄塔１Ａに取り付けることができる。なお、この例では、スペーサー２２Ａとスペーサー２２Ｂが、斜材２１を迂回する距離の関係で若干サイズが異なる。
【産業上の利用可能性】
【００４０】
本発明は、鉄塔に作業者以外の第三者が昇ることを防止する昇塔防止装置に適用して極めて好適である。
【符号の説明】
【００４１】
１・・・鉄塔
２・・・主柱材
３・・・斜材
５Ａ・・・スライド棒材（第１のスライド棒材）
５Ｂ・・・スライド棒材（第２のスライド棒材）
５ｂ・・・延棒
６Ａ・・・窓部材（第１の窓部材）
６Ｂ・・・窓部材（第２の窓部材）
６ａ・・・ヒンジ（連結部材）
７・・・棒部材
８・・・Ｖ字プレート（プレート）
８ａ・・・第１の面
８ｂ・・・第２の面
９Ａ・・・ガイド部材（第１のガイド部材）
９Ｂ・・・ガイド部材（第２のガイド部材）
９ｂ・・・切欠部
９ｄ・・・半溝
９ｅ・・・最下溝
９ｆ・・・スライド溝
１００・・・昇塔防止装置
【図１】
2010180557.tif 000003
【図２】
2010180557.tif 000004
【図３】
2010180557.tif 000005
【図４】
2010180557.tif 000006
【図５】
2010180557.tif 000007
【図６】
2010180557.tif 000008
【図７】
2010180557.tif 000009
【図８】
2010180557.tif 000010